(57)【要約】【課題】展示スペースを多く取らず、数多くの展示ができる照明器具展示用什器を提供する。【解決手段】照明器具展示用建屋の内壁面の任意の位置に垂直に取り付けられた第１の角型部材と、第１の角型部材にその両端が支えられた第２角型部材と、直付けシーリング器具を取り付ける板状部材と、第２角型部材にその一端を引掛けて固定し、他端に板状部材を保持し、梁状に突出させて装着するアーム状部材と、アーム状部材の一端に第２角型部材にアーム状部材を取り付ける第１の金具と、アーム状部材の他端に板状部材を取り付ける第２の金具とを備え、板状部材が、アーム状部材に対して任意の角度に装着される照明器具展示用什器。【選択図】　　　図１
2004071387.tif 000002
【特許請求の範囲】
【請求項１】
照明器具展示用建屋の内壁面の任意の位置に垂直に取り付けられた第１の角型部材と、前記第１の角型部材にその両端が支えられ、水平に取り付けられた第２角型部材と、直付けシーリング器具を取り付ける板状部材と、前記第２角型部材にその一端を引掛けて固定し、他端に前記板状部材を保持し、梁状に突出させて装着するアーム状部材と、前記アーム状部材の前記一端に前記第２角型部材に前記アーム状部材を取り付ける第１の金具と、前記アーム状部材の前記他端に前記板状部材を取り付ける第２の金具とを備え、前記板状部材が、前記アーム状部材に対して任意の角度に装着されることを特徴とする照明器具展示用什器。
【請求項２】
前記アーム状部材は中空構造であることを特徴とする請求項１記載の照明器具展示用什器。
【請求項３】
前記アーム状部材は、角型パイプの中空構造であることを特徴とする請求項２記載の照明器具展示用什器。
【請求項４】
前記アーム状部材は、円型パイプの中空構造であることを特徴とする請求項２記載の照明器具展示用什器。
【請求項５】
前記アーム状部材を前記第２の角型部材に係合させた後、前記第１の金具を前記第２の角型部材にネジ止めにより固定することを特徴とする請求項１記載の照明器具展示用什器。
【請求項６】
前記アーム状部材を２分割し、一方を他方に挿入して伸縮自在としたことを特徴とする請求項１乃至５のいずれか１項に記載の照明器具展示用什器。
【請求項７】
前記２分割したアーム状部材を任意の長さに調整した後、２分割したアーム状部材をネジ止めにより固定することを特徴とする請求項６記載の照明器具展示用什器。
【発明の詳細な説明】
【０００１】
【発明の属する技術分野】
本発明は、照明器具展示用什器に関し、特に、展示スペースを多く取らず、数多くの展示ができる照明器具展示用什器に関する。
【０００２】
【従来の技術】
家具、照明器具等のインテリア商品を家具店、または電気店のそれぞれの店舗で展示して、上述したインテリア商品の拡販を図ることは、よく知られている。
【０００３】
そして、照明器具等のインテリア商品の展示に関しては、例えば、図８のイラストに示すように、商品の照明器具（８３１，８３２，８３３）を、直接、天井板（８１０，８１１，８１２，８１３，８１４，８１５，８１６）に取付ける展示方法で顧客にアッピールしている。
【０００４】
照明器具８３１は、天井板（８１０，８１１，８１５，８１６）に取り付けられ、照明器具８３２は、天井板（８１１，８１２，８１４，８１５）に取り付けられ、照明器具８３３は、天井板（８１２，８１３，８１４）に取り付けられている。
【０００５】
また、図９のイラストに示すように、商品の照明器具（９３１，９３２，９３３，９３４）を、直接、壁面（９２１，９２２）に取付ける別の展示方法で顧客にアッピールすることもしている。
【０００６】
すなわち、直付け形照明器具の展示は、通常、天井取り付け、または、壁面への直付けが主流であり、平面的には、単調な展示のように見えるが、展示方法も比較的簡単である。
【０００７】
一方、天井または壁面以外に取り付ける場合には、スタンド形の什器が使用される場合もある。
【０００８】
【発明が解決しようとする課題】
しかしながら、従来の店舗での展示の場合、天井に取り付けられるスペースは一部であったり、壁面取付けも器具の展示必要スペースが大きい事から、数多く展示が出来ず、効果的にアッピールできない問題があった。
【０００９】
またさらに、天井及び壁面直付け以外の場所での展示は、専用のスタンドが必要等、展示什器も大型で高価なものとなっていた。
従って、本発明の目的は、展示スペースを多く取らず、数多くの展示ができ、またさらに、天井及び壁面直付け以外の場所での展示が、安価で実施できる照明器具展示用什器を提供することにある。
【００１０】
【課題を解決するための手段】
本発明の照明器具展示用什器は、照明器具展示用建屋の内壁面の任意の位置に垂直に取り付けられた第１の角型部材と、前記第１の角型部材にその両端が支えられ、水平に取り付けられた第２角型部材と、直付けシーリング器具を取り付ける板状部材と、前記第２角型部材にその一端を引掛けて固定し、他端に前記板状部材を保持し、梁状に突出させて装着するアーム状部材と、前記アーム状部材の前記一端に前記第２角型部材に前記アーム状部材を取り付ける第１の金具と、前記アーム状部材の前記他端に前記板状部材を取り付ける第２の金具とを備え、前記板状部材が、前記アーム状部材に対して任意の角度に装着される構成である。
【００１１】
また、本発明の照明器具展示用什器の前記アーム状部材は中空構造であり、本発明の照明器具展示用什器の前記アーム状部材は、角型パイプの中空構造であり、本発明の照明器具展示用什器の前記アーム状部材は、円型パイプの中空構造の構成である。
【００１２】
また、本発明の照明器具展示用什器は、前記アーム状部材を２分割し、一方を他方に挿入して伸縮自在とした構成である。さらにまた、本発明の照明器具展示用什器は、前記２分割したアーム状部材を任意の長さに調整した後、２分割したアーム状部材をネジ止めにより固定する構成である。
【００１３】
【発明の実施の形態】
次に、本発明について図面を参照して説明する。
【００１４】
図１および図２は、本発明の実施の形態の照明器具展示用什器の構成を示す模式図である。
【００１５】
図１および図２を参照すると、本発明の実施の形態の照明器具展示用什器１００は、店舗の壁面に取り付けられた汎用の角形パイプ（１１０，１１１，１３６）と、汎用の角形パイプ（１１０，１１１，１３６）に取り付けられたＬ字金具（１１６，１１７）と、このＬ字金具（１１６，１１７）でささえられた角形パイプ１１４を備える。
【００１６】
さらに、本発明の実施の形態の照明器具展示用什器１００は、直付けシーリング器具１３３を取り付けられる大きさの板状部材１３５と、角形パイプ１１４に、その一端を引掛けて固定し、他端に板状部材１３５を保持し、梁状に突出させて装着する断面丸形棒状のアーム状部材１２３と、アーム状部材１２３の一端に、角形パイプ１１４にアーム状部材１２３を取り付ける取り付け金具１１５と、アーム状部材１２３の他端に板状部材１３５を取り付ける金具（１２５，１２６，１２８）とを備える。
さらに、本発明の実施の形態の照明器具展示用什器１００は、その板状部材１３５の中央には、引掛けローゼットボディー（図示してない）を備える。
【００１７】
また、ローゼットボディーに電源線（図示してない）を接続して角形棒状１３２の中又は外面に沿わして、見栄えの良いように処理する構成である。
【００１８】
又、断面丸形棒状のアーム状部材１２３と板状部材１３５の接続は、方向自在な金具１２５で接続され、断面丸形棒状のアーム状部材１２３は、径の異なるパイプ１２１とパイプ１２４を２重にし、アーム状部材１２３の長さ方向の調整と回転方向の調整を可能としている。
【００１９】
２重になったパイプ（１２１，１２４）には、長さや回転方向が任意の所で固定できるよう、固定ネジ１２２を設けておく。また、予め、任意の穴を開けておきピン等を差し込んで固定する方法でも良い。
【００２０】
Ｌ型の金具（１２６，１２８）は、コの字型の金具１２６とネジ（１２７，１２９）で接続される。また、Ｌ型の金具（１２６，１２８）のそれぞれは、板１３５に取り付けられている。
【００２１】
次に、図２を参照すると、本発明の実施の形態の照明器具展示用什器１００は、径の異なるパイプ（１２１，１２４）を２重にし、長さ及び回転方向で自由度を上げている。手前が取付け板１３５の接続金具（１２５，１２６）である。
【００２２】
そして、アーム状部材１２３と板１３５の接続は方向自在な金具１２５で接続され、アーム状部材１２３は、径の異なるパイプ（１２１，１２４）を２重にし、長さ調整及び回転方向を自由にできるようにしている。
さらに、リング状のリング金具１３８を接続金具に装着して、直付けシーリング器具１３３の荷重または直付けシーリング器具１３３を取り付けた板１３５の荷重を緩和することもできる。
【００２３】
図３は、汎用の展示用壁面の例を示す。汎用の展示用壁面には、角型の垂直の支柱（３１０，３２０）と水平方向の角型部材３１９が備えられる。
【００２４】
次に、展示照明器具を任意の角度で展示できることを、図面を参照して説明する。
図４を参照すると、本発明の実施の形態の照明器具展示用什器１００は、板４３５の取り付け角度を調整して、展示器具４３４を下方向に向ける事ができる。また、図５を参照すると、本発明の実施の形態の照明器具展示用什器１００は、板５３５の取り付け角度をを調整して、展示器具５３４を上方向に向ける事ができる。さらに、図６を参照すると、本発明の実施の形態の照明器具展示用什器１００は、展示器具６３４を、左右方向に向ける事ができる。
【００２５】
また、図７を参照すると、本発明の実施の形態の照明器具展示用什器１００は、展示器具７３１を上段展示状態にし、展示器具７３２を展示器具７３１の下段展示状態にすることができ、天井の低い店でも効果的に使用できる。
【００２６】
なお、断面丸形棒状のパイプ（１２１，１２４）を角型棒状に変形することは、適宜、なし得ることであるのは、言うまでもない。
【００２７】
【発明の効果】
以上説明したように、本発明の照明器具展示用什器は、照明器具（直付け型照明器具）の壁面での照明器具展示が容易となり、狭い店舗での場所の有効活用や、壁面を利用した効果的な展示アピールをする事ができる効果がある。
【００２８】
また、什器が小形に製作できるため、持ち運びが容易であり、価格も安価に製作する事ができる。さらに、壁面の自由な位置に取付することができることにより、山積み展示用、その他の展示方法が自由にレイアウトでき、お客様の目線に合った効果的な展示が容易に実施することができる。
【００２９】
そして、照明器具が重なり合う様な展示も可能となり、狭いスペースで多量の展示が可能と共に、立体的な展示も可能となる。天井の低い店舗、密集した隙間へ展示も容易にすることができる。
【図面の簡単な説明】
【図１】本発明の一実施の形態の照明器具展示用什器の構成を模式的に表した図である。
【図２】図１に示した本発明の一実施の形態の照明器具展示用什器の拡大実装図を模式的に表した図である。
【図３】汎用の展示用壁面を模式的に表した図である。
【図４】本発明の一実施の形態の照明器具展示用什器の展示品の角度を模式的に表した図である。
【図５】本発明の一実施の形態の照明器具展示用什器の展示品の角度を模式的に表した図である。
【図６】本発明の一実施の形態の照明器具展示用什器の展示品の別の角度を模式的に表した図である。
【図７】本発明の一実施の形態の照明器具展示用什器の展示品の他の角度を模式的に表した図である。
【図８】照明器具を天井に取り付けて展示した、従来の照明器具展示方法を示した模式図である。
【図９】照明器具を壁面に取り付けて展示した、別の従来の照明器具展示方法を示した模式図である。
【符号の説明】
１００　　照明器具展示用什器
１１０，１１１，１３６　　汎用の角形パイプ
１１４，１１９　　角形パイプ
１１５　　取り付け金具
１１６，１１７　　Ｌ字金具
１１８　　取り付け金具
１２０，１２２　　締め付けねじ
１２１，１２４　　断面丸形パイプ
１２３　　アーム状部材
１３３　　直付けシーリング器具
１３５　　板
１３８　　リング金具
【図１】
2004071387.tif 000003
【図２】
2004071387.tif 000004
【図３】
2004071387.tif 000005
【図４】
2004071387.tif 000006
【図５】
2004071387.tif 000007
【図６】
2004071387.tif 000008
【図７】
2004071387.tif 000009
【図８】
2004071387.tif 000010
【図９】
2004071387.tif 000011